(57)【要約】【課題】従来のレンズ鏡筒では、フレキシブル配線板を略コの字形状をしたフレキ押え板に、所定の長さ位置になるよう両面テープ等で貼り付け、絞り装置の移動に伴って曲げ部が光軸方向に移動する構成となっていた。そのため、フレキシブル配線板の曲げ部の位置精度にバラツキが発生し、その曲げ部が可動レンズ群に接触して、フレキシブル配線板の切断や、干渉による騒音の発生等の問題を生じていた。【解決手段】固定筒１８と、その固定筒との間で相対的に移動可能とされた３群レンズユニット１０と、固定筒と３群レンズユニットとの間に、Ｕ字状に曲げられて掛け渡されるフレキシブル配線板８３と、フレキガイド８２と、を設けた。フレキガイド８２は、フレキシブル配線板の曲げ部９２ａに連続する一側を、３群レンズユニット１０の移動方向に延在させた状態で固定筒１８に固定する。【選択図】図４
2011237594.tif 000002
【特許請求の範囲】
【請求項１】
固定筒と、
前記固定筒との間で相対的に移動可能とされた可動部材と、
前記固定筒と前記可動部材との間に、Ｕ字状に曲げられて掛け渡されるフレキシブル配線板と、
前記フレキシブル配線板の曲げ部に連続する一側を、前記可動部材の移動方向に延在させた状態で前記固定筒に固定するフレキガイドと、
を設けた
レンズ鏡筒。
【請求項２】
前記固定筒に、前記フレキガイドを前記可動部材の移動方向に対して傾斜させて固定する傾斜固定穴を設けた
請求項１記載のレンズ鏡筒。
【請求項３】
前記傾斜固定穴は、
前記可動部材の移動方向の一側が前記フレキガイドの一面に接触し且つ前記可動部材の移動方向の他側が前記フレキガイドの前記一面と反対側の他面に接触するように形成し、
前記可動部材の移動方向と直交する方向における、前記可動部材から前記傾斜固定穴の一側までの距離と前記可動部材から前記傾斜固定穴の他側までの距離を異ならせた
請求項２記載のレンズ鏡筒。
【請求項４】
前記フレキガイドの一面に前記フレキシブル配線板の一側を沿わせると共に前記フレキガイドの他面の先端近傍に前記フレキシブル配線板の一側先端を沿わせ且つ一側他端を前記可動部材側に引き出した
請求項３記載のレンズ鏡筒。
【請求項５】
レンズ鏡筒と、
前記レンズ鏡筒が固定又は着脱可能とされた撮像装置本体と、
を備え、
前記レンズ鏡筒は、
固定筒と、
前記固定筒との間で相対的に移動可能とされた可動部材と、
前記固定筒と前記可動部材との間に、Ｕ字状に曲げられて掛け渡されるフレキシブル配線板と、
前記フレキシブル配線板の曲げ部に連続する一側を、前記可動部材の移動方向に延在させた状態で前記固定筒に固定するフレキガイドと、
を設けた
撮像装置。
【発明の詳細な説明】
【技術分野】
【０００１】
本発明は、固定筒と可動部材を備え、可動部材に電子部品が搭載されていて、固定筒と可動部材との間をフレキシブル配線板で電気的に接続したレンズ鏡筒、及び、そのレンズ鏡筒を備えた撮像装置に関する。
【背景技術】
【０００２】
一般に、レンズ鏡筒は、ズーム機能やフォーカシング機能等を発揮するために一以上の固定筒と一以上の可動筒を備えており、これら固定筒及び可動筒に一又は二以上のレンズが固定又は移動可能に支持されている。この場合、可動筒に電子部品が搭載されていて、固定筒側に電源又は電源側部品がある場合には、その電源等と電子部品との間をフレキシブル配線板で電気的に接続する必要がある。このとき、フレキシブル配線板の中途部をＵ字状に湾曲させて配線し、そのＵターン部分でフレキシブル配線板の長さ変化を吸収して、固定筒と可動筒との間の相対的移動を可能に構成している。
【０００３】
従来の、この種のレンズ鏡筒としては、例えば、特許文献１に記載されているようなものがある。特許文献１には、レンズ鏡筒内部に電気回路実装を持ち、鏡筒本体部分に対して突出・収納可能なレンズ保持部材を有するレンズ鏡筒に関するものが記載されている。この特許文献１に係るレンズ鏡筒は、第１のレンズ保持部材と第２のレンズ保持部材とフレキシブル配線板とを備えている。第１のレンズ保持部材は、複数のレンズ群を有し、第１のレンズ群を保持し鏡筒本体部分に対して突出・収納移動が可能とされている。第２のレンズ保持部材は、第２のレンズ群を保持すると共に電気接続するフレキシブル配線板を有し、光軸方向に移動可能とされている。そして、フレキシブル配線板に、第２のレンズ保持部材の移動に応じて曲げ頂点部分が光軸方向に移動するＵターン部を設けた、ことを特徴としている。
【０００４】
このような構成を有するレンズ鏡筒によれば、第１のレンズ保持部材を含む前側ユニットの構成のみでＵターンフレキ移動を可能とした。そのため、組み立て途中の組立作業の困難性、あるいはＵターンフレキの光路上への飛び出し等の誤った組み立ての危険性が解消される、等の効果が期待される（特許文献１の段落［００４４］）。
【０００５】
しかしながら、上述した従来例のレンズ鏡筒においては、Ｕターンフレキを略コの字形状をしたフレキ押え板に、所定の長さ位置になるよう両面テープ等で貼り付け、絞り装置の移動に伴って曲げ部が光軸方向に移動する構成となっていた。そのため、フレキ押え板でＵターンフレキの根元部分のみを固定していることから、Ｕターンフレキが切れ易く、また、フレキ押え板の寸法精度のバラツキ等によって曲げ部の位置精度にバラツキが生じていた。その結果、Ｕターンフレキの曲げ部の位置精度にバラツキが発生し、その曲げ部が可動レンズ群に接触して、フレキシブル配線板の切断や、干渉による騒音（「パチ音」とも呼ばれる。）が発生する可能性が高い、等の問題があった。
【０００６】
この点を詳細に説明すると、次のようなことである。フレキシブル配線板は、ある程度大きな曲率半径によって湾曲させた場合には、その曲げ部に繰り返し外力（引張力や圧縮力等）が作用したときにも十分な耐久性を発揮することができる。ところが、フレキシブル配線板は、一般に、耐折性が弱いものである。そのため、折目が付く程度の曲率半径によって一度折り曲げられると、その後平面状態に戻した後において、引張力や圧縮力等の外力が繰り返し作用すると、比較的簡単に破損してしまい、回路が破断され易いという性質を有する。
【０００７】
そのため、特許文献１のように、フレキシブル配線板をＳ字状に湾曲させて、そのＳ字状曲げ部をフレキ押え板で支持する方式においては、曲率半径の小さい部分が比較的容易に破損してしまうおそれがある。しかも、そのフレキシブル配線板は、Ｓ字状曲げ部に連続する一側をＣＣＤホルダに固定し、Ｓ字状曲げ部に連続する他側を第２レンズ保持筒に固定する構成となっている。そのため、フレキシブル配線板の中間部に設定されたＳ字状曲げ部が、第２レンズ保持筒の移動方向と交差する方向に振られ易い状態になっている。その結果、Ｓ字状曲げ部の撓み量が大きくなると、他の部品と干渉して、フレキシブル配線板の切断を生じたり、短絡による異音の発生を生じるおそれがあった。
【先行技術文献】
【特許文献】
【０００８】
【特許文献１】特開２００３−３０７６６７号公報
【発明の概要】
【発明が解決しようとする課題】
【０００９】
解決しようとする問題点は、従来のレンズ鏡筒では、フレキシブル配線板を略コの字形状をしたフレキ押え板に、所定の長さ位置になるよう両面テープ等で貼り付け、絞り装置の移動に伴って曲げ部が光軸方向に移動する構成となっていた。そして、フレキ押え板でＵターンフレキの根元部分のみを固定していたために、フレキシブル配線板の強度不足やフレキ押え板の寸法精度のバラツキ等によって曲げ部の位置精度にバラツキが生じていた。その結果、フレキシブル配線板の曲げ部の位置精度にバラツキが発生し、その曲げ部が可動レンズ群に接触して、フレキシブル配線板の切断や、干渉による騒音の発生等の問題を生じているという点である。
【課題を解決するための手段】
【００１０】
本発明のレンズ鏡筒は、固定筒と、その固定筒との間で相対的に移動可能とされた可動部材と、固定筒と可動部材との間に、Ｕ字状に曲げられて掛け渡されるフレキシブル配線板と、フレキガイドと、を設けた。フレキガイドは、フレキシブル配線板の曲げ部に連続する一側を、可動部材の移動方向に延在させた状態で固定筒に固定する。
【００１１】
本発明の撮像装置は、レンズ鏡筒と、そのレンズ鏡筒が固定され又は着脱可能とされた撮像装置本体と、を備えている。レンズ鏡筒は、固定筒と、その固定筒との間で相対的に移動可能とされた可動部材と、固定筒と可動部材との間に、Ｕ字状に曲げられて掛け渡されるフレキシブル配線板と、フレキガイドと、を設けた。フレキガイドは、フレキシブル配線板の曲げ部に連続する一側を、可動部材の移動方向に延在させた状態で固定筒に固定する。
【発明の効果】
【００１２】
本発明のレンズ鏡筒によれば、フレキシブル配線板が可動部材と干渉するリスクを回避することができると共に、フレキシブル配線板の反力を安定させて、像ブレの発生を軽減させることができる。また、フレキガイドを挿入するだけでフレキシブル配線板を固定筒に固定することができ、ビスを使用しないため、組立性を向上させることができると共に、デッドスペースを利用することから、装置全体の小型化を図ることができる。
【図面の簡単な説明】
【００１３】
【図１】本発明のレンズ鏡筒の実施の形態の一例を示すもので、沈胴状態の外観斜視図である。
【図２】図１に示すレンズ鏡筒の伸長（望遠）状態の斜視図である。
【図３】図１に示すレンズ鏡筒を背面側から見た斜視図である。
【図４】図１に示すレンズ鏡筒の沈胴状態における縦断面図である。
【図５】図４の要部を拡大した説明図である。
【図６】図１に示すレンズ鏡筒の伸長（望遠）状態における縦断面図である。
【図７】図６の要部を拡大した説明図である。
【図８】図１のレンズ鏡筒に係る固定筒の斜視図である。
【図９】図１のレンズ鏡筒に係るマウント環を示すもので、図９Ａは正面図、図９Ｂは中央部縦断面図である。
【図１０】図１のレンズ鏡筒に係る後部遮光環の斜視図である。
【図１１】図１のレンズ鏡筒に係るフレキガイドの斜視図である。
【図１２】図１のレンズ鏡筒に係る像ブレ補正ユニットのフレキシブル配線板の斜視図である。
【図１３】図１のレンズ鏡筒に係る像ブレ補正ユニットのフレキシブル配線板の側面図である。
【図１４】図１のレンズ鏡筒に係る像ブレ補正ユニットの斜視図である。
【図１５】図１のレンズ鏡筒に係る第３レンズ群の斜視図である。
【図１６】図１５に示す第３レンズ群から後端レンズ保持枠を取り除いた斜視図である。
【図１７】図１のレンズ鏡筒の要部を示すもので、固定筒と後部遮光環を表した斜視図である。
【図１８】図１７の要部を拡大して示す説明図である。
【図１９】図１のレンズ鏡筒を備えた撮像装置の実施の形態の一例を示すデジタルスチルカメラの外観斜視図である。
【発明を実施するための形態】
【００１４】
フレキシブル配線板の曲げ部に連続する一側を、可動部材の移動方向に延在させた状態でフレキガイドによって固定筒に固定する。これにより、フレキシブル配線板が他の部品と接触して破損するおそれをなくすと共に、組み立て作業を容易にして組立性の向上を図ることができるレンズ鏡筒を、簡単な構成によって実現した。
【実施例】
【００１５】
以下、本発明の実施の形態を、添付した図面を参照して説明する。
図１〜図７に示すレンズ鏡筒１は、本発明の第１の実施の例を示すものであり、一眼レフレックス型デジタルスチルカメラ（以下「デジタルスチルカメラ」という。）に使用される交換レンズとして構成されている。このレンズ鏡筒１は、図１９に示すように、撮像装置本体の一具体例を示すカメラボディ本体４と結合することにより、撮像装置の一具体例を示すデジタルスチルカメラ５として構成される。レンズ鏡筒１とカメラボディ本体４には共に制御回路が搭載されており、電気接点を通じて電源の供給や情報信号の伝達を行いながら、映像の撮影が可能となっている。
【００１６】
レンズ鏡筒１は、複数のレンズやフィルタ等の光学素子によって構成される撮影光学系と、その撮影光学系の各構成要素を固定又は移動可能に支持する筒体、環体や枠体等のメカニック系と、図示しない制御回路によって構成されている。レンズ鏡筒１のメカニック系は、手動操作によって動作されるが、モータやギア等の動力系を設け、メカニック系を自動的に動作させる構成とすることもできる。
【００１７】
図４〜図７に示すように、レンズ鏡筒１の撮影光学系は、被写体側から順に配置されている第１レンズ群７と、第２レンズ群８と、第３レンズ群９との３群レンズ構成とされている。第１レンズ群７は１群移動枠１１に保持され、第２レンズ群８は２群移動枠１２に保持されており、第３レンズ群９は３群移動枠１３等に保持されている。
【００１８】
図４及び図６に示すように、レンズ鏡筒１のメカニック系は、固定保持環１５と、鏡筒環１６と、ズームカム環１７と、固定筒１８と、ズーム操作環１９と、後部保持環２０と、マウント環２１と、フォーカス操作環２２と、前部保持環２３等を備えている。固定保持環１５は、メカニック系の骨格をなす円筒状の部材であり、軸方向の一端には、半径方向内側に展開された内フランジ部１５ａが設けられている。固定保持環１５の内フランジ部１５ａの外面に、図示しないビスによってマウント環２１が固定されている。このマウント環２１を介してレンズ鏡筒１が、カメラボディ本体４に対してバヨネット方式により着脱可能に構成されている。
【００１９】
固定保持環１５の内側に円筒状をなす鏡筒環１６が配置され、鏡筒環１６の内側に円筒状をなすズームカム環１７が配置され、ズームカム環１７の内側に円筒状をなす固定筒１８が配置されている。固定筒１８は、内フランジ部１５ａの内面に、図示しないビスによって固定されており、この固定筒１８の外周にズームカム環１７が回転可能に支持されている。ズームカム環１７は、軸方向（光軸方向と同様）へ移動することなく（繰り出し無し）、回転のみ可能とされている。このズームカム環１７には、第１レンズ群７と第２レンズ群８と３群レンズユニット１０を所定位置に移動するための複数のカム溝が設けられている。
【００２０】
図示しないが、ズームカム環１７の複数のカム溝の１つに、鏡筒環１６に設けたカムピンが係合されている。鏡筒環１６には軸方向に延在された軸方向溝が設けられており、その軸方向溝に案内ピンが摺動可能に係合されている。案内ピンは、固定筒１８の外周面に立設されており、その案内ピンは軸方向溝に摺動可能に係合されている。これにより、ズームカム環１７を回転すると、ズームカム環１７は、光軸方向へ移動することなく、その定位置で回転のみ行われる。このとき鏡筒環１６は、回転することなく光軸方向へ移動される。固定筒１８には、軸方向に延在された直進案内溝８０が設けられており、その直進案内溝８０にガイドされて、２群移動枠１２と３群レンズユニット１０とが所定位置に移動する構造となっている。
【００２１】
固定保持環１５の外側に、光軸方向に所定の長さを有する円筒状をなすズーム操作環１９と、同じく光軸方向に所定の長さを有するリング状をなすフォーカス操作環２２とが回転自在に嵌合されている。ズーム操作環１９は、固定保持環１５の内フランジ部１５ａ側に配置されており、その外周面に、周方向に連続するズーム操作環カバー２５が接着固定されている。ズーム操作環１９は、図示しない連動ピンを介してズームカム環１７と連動可能とされており、ズーム操作環１９の回転速度と同一速度でズームカム環１７が回転駆動される。ズーム操作環１９を定位置で回転操作することにより、ズームカム環１７の動作を介して第１レンズ群７〜第３レンズ群９を所定位置に移動して、ズーム操作を行うことができる。
【００２２】
ズーム操作環１９の内側に、ズーム操作環１９の回転角度を検出するポテンショメータ２４が配設されている。また、ズーム操作環１９とマウント環２１との間には、リング状をなす後部保持環２０が介在されている。後部保持環２０は、固定保持環１５に固定されており、この後部保持環２０の外周面に、周方向に連続する後部外装カバー２６が接着固定されている。
【００２３】
フォーカス操作環２２は、固定保持環１５の内フランジ部１５ａ側と反対側に配置されており、その外周面に、周方向に連続するフォーカス操作環カバー２７が接着固定されている。フォーカス操作環２２は、図示しない位置検出器によって回転角度とその回転数とが検出可能とされており、この位置検出器から出力されるフォーカス操作環２２の回転位置を検出する検出信号に基づいて、フォーカシング動作が行われる。即ち、位置検出器から出力される検出信号に基づいて制御装置が、３群レンズユニット１０内に設けられた電動モータに制御信号を供給し、３群レンズユニット１０内の幾つかのレンズを光軸方向へ移動させる。これにより、レンズ鏡筒１のフォーカシング動作を行うことができる。
【００２４】
フォーカス操作環２２は、固定保持環１５に装着した状態では、軸方向の一方である被写体側に抜き取り可能な状態となっているため、その被写体側への抜き出しを前部保持環２３によって防止している。前部保持環２３は、固定保持環１５の被写体側の先端部１５ｂの外側に嵌合可能なリング状の部材として形成されており、バヨネット方式によって結合・分離可能に構成されている。前部保持環２３の外周面に、周方向に連続する前部外装カバー２８が接着固定されている。前部外装カバー２８の端面部には、前部保持環２３の前端部に設けたフード端収納部４６の直径と同程度の大きさを有する貫通穴２９が設けられている。
【００２５】
固定保持環１５の先端部１５ｂの内側に鏡筒環１６の先端部１６ａに設けたフード装着溝４０が対向されている。この鏡筒環１６の先端部１６ａに、図示しないレンズフードが、バヨネット方式によって結合・分離可能に構成されている。
【００２６】
図８は、固定筒１８を背面側から見た斜視図である。固定筒１８は、円筒状の本体部１８ａと、本体部１８ａの軸方向一端において半径方向外側に展開するように形成された外フランジ部１８ｂと、本体部１８ａの軸方向他端において半径方向内側に展開するように形成された内フランジ部１８ｃとを有している。固定筒１８の本体部１８ａには、軸方向に延在された３つの直進案内溝（図８では１個のみが表れている。）８０と、２つの傾斜固定穴８１，８１とが設けられている。３つの直進案内溝８０は、３群レンズユニット１０を光軸方向に案内して直線的に移動させるもので、周方向の３箇所に等角度間隔あけて配置されている。
【００２７】
固定筒１８の２つの傾斜固定穴８１は、フレキガイド８２を用いてフレキシブル配線板８３を固定筒１８に固定するためのもので、周方向の２箇所に等角度間隔あけて設けられている。傾斜固定穴８１は、本体部１８ａを半径方向に貫通する径方向貫通部８１ａと、この径方向貫通部８１ａの一側に連続して設けた内側ガイド支持部８１ｂと、径方向貫通部８１ａの他側に連続して設けた外側ガイド支持部８１ｃとを有している。内側ガイド支持部８１ｂは、本体部１８ａに設けた傾斜固定穴８１の、本体部１８ａの軸方向一側に連続する部分であって、その肉厚部分の半径方向外側を削除することによって形成されている。これに対し、外側ガイド支持部８１ｃは、本体部１８ａに設けた傾斜固定穴８１の、本体部１８ａの軸方向他側に連続する部分であって、その肉厚部分の半径方向内側を削除することによって形成されている。
【００２８】
傾斜固定穴８１の、固定筒１８の中心軸から内側ガイド支持部８１ｂの、フレキガイド８２を受ける面までの距離と、固定筒１８の中心軸から外側ガイド支持部８１ｃの、フレキガイド８２を受ける面までの距離とは、異なる値となるようにしている。この実施例では、内側ガイド支持部８１ｂのフレキガイド受け面までの距離よりも、外側ガイド支持部８１ｃのフレキガイド受け面までの距離を少し短く設定している。
【００２９】
即ち、レンズ鏡筒１の光軸ＯＬに対して、フレキガイド８２の延在する方向がなす傾斜角度αを、約１度傾斜するように、それらの寸法関係を設定している。このようにフレキガイド８２を約１度傾斜させて固定筒１８に取り付けることができるようにするため、内フランジ部１８ｃの各傾斜固定穴８１と対応する位置に、フレキガイド８２を通過させることができる幅及び深さを有する切欠き部８４が設けられている。なお、傾斜角度αは、１度程度が好ましいが、これに限定されるものではなく、０．５度であってもよく、また、１．５度であってもよい。
【００３０】
フレキガイド８２は、図１１に示すような形状を有している。フレキガイド８２は、適当な長さと幅を有する短冊状の金属製板材からなり、その長手方向の一側には２つの位置決め片８５，８５とストッパ片８６とが設けられている。２つの位置決め片８５，８５は、フレキガイド８２の長手方向と交差する両側方へ突出するように形成されている。また、ストッパ片８６は、フレキガイド８２の長手方向の一端から、９０度に折り曲げられて形成されている。
【００３１】
フレキガイド８２の長さは、図１７に示すように、組立時、先端部が内側ガイド支持部８１ｂに接触した状態において、２つの位置決め片８５，８５が固定筒１８の内フランジ部１８ｃに当接する程度の寸法が好適である。また、フレキガイド８２の幅は、傾斜固定穴８１に嵌め込むことができる程度の寸法である。フレキガイド８２の材質としては、ステンレス鋼、スチール鋼、ばね鋼等の金属が好適である。しかしながら、フレキガイド８２の材質としては、ある程度の剛性を有し、強度の高いＰＯＭ（ポリアセタール）やＡＢＳ（アクリロニトリル・ブタジエン・スチレン樹脂）等のエンジニアリングプラスチックを用いることもできる。
【００３２】
固定筒１８が固定されるマウント環２１は、図９Ａ及び図９Ｂに示すような形状を有している。マウント環２１は、固定筒１８の直径よりも少し大きな直径を有するリング状の部材からなり、図示しない固定ネジによって固定筒１８の内フランジ部１８ｃにネジ止めされている。マウント環２１は、内フランジ部１８ｃに固定される固定部２１ａと、この固定部２１ａの半径方向内側に連続して形成されたバヨネット部２１ｂとを有しており、このバヨネット部２１ｂによってカメラボディ本体４に対してバヨネット結合が可能とされている。このバヨネット部２１ｂの内側の３箇所に、後部遮光環８７をネジ止めするための取付部２１ｃが設けられている。
【００３３】
後部遮光環８７は、図１０に示すような形状を有している。後部遮光環８７は、光軸方向と垂直をなす方向に展開された端面部８７ａと、この端面部８７ａの外周縁に沿って一面側に突出する外縁部８７ｂと、外縁部８７ｂとの間に適当な間隔をあけて設けた内壁部８７ｃとを有している。後部遮光環８７の端面部８７ａの中央部に貫通穴８８が設けられており、この貫通穴８８の外側に、カメラホディ本体４に設けられたＣＣＤやＣＭＯＳ等の撮像素子が対向される。内壁部８７ｃは、外縁部８７ｂよりも十分に深さのある囲い壁として形成されており、その２箇所に、フレキガイド８２の抜け出しを防止するストッパ突起８９，８９が設けられている。この実施例では、２つのストッパ突起８９，８９は、周方向に略１８０度離れた位置に設けられている。
【００３４】
この実施例で示すフレキシブル配線板８３は、図１２及び図１３に示すような構成を有している。フレキシブル配線板８３は、３群レンズユニット１０に内蔵されている像ブレ補正ユニットに使用されているもので、電子部品が搭載される電子部品搭載部９１と、その電子部品搭載部９１と電源側とを接続する接続中継部９２とを有している。電子部品搭載部９１は、第１の駆動コイル９３が搭載される第１コイル搭載部９１ａと、第２の駆動コイル９４が搭載される第２コイル搭載部９１ｂと、両コイル搭載部９１ａ，９１ｂ間を連結する連結部９１ｃとを有している。電子部品搭載部９１は、レンズ鏡筒１の光軸を囲うような形状とされており、光軸の一側に第１コイル搭載部９１ａが配置され、この第１コイル搭載部９１ａと９０度回転変位した位置に第２の駆動コイル９４が配置されている。
【００３５】
第１の駆動コイル９３及び第２の駆動コイル９４は、略長方形をなすよう複数層に巻回されていると共に、２つの駆動コイル９３，９４の長手方向が直角に交差するように配置されている。この実施例では、光軸ＯＬの側方に第１の駆動コイル９３が長手方向を上下方向へ向けた状態で配置され、光軸ＯＬの上方に第２の駆動コイル９４が長手方向を左右方向へ向けた状態で配置されている。そして、２つの駆動コイル９３，９４は、それぞれのコイル搭載部９１ａ,９１ｂにおいて、所定形状に形成された回路と電気的に接続され、通電可能な状態となっている。これにより、各駆動コイル９３，９４に電流を流すと、第１の駆動コイル９３には水平方向に向かう推力が発生し、第２の駆動コイル９４には上下方向に向かう推力が発生する。
【００３６】
第１コイル搭載部９１ａ及び第２コイル搭載部９１ｂには、それぞれコイル部補強板９５ａが設けられている。そして、２つの駆動コイル９３，９４の中央部には、それぞれの駆動コイル９３，９４の位置を検出する位置検出器（ＭＲセンサ）９６Ａ，９６Ｂが配設されている。連結部９１ｃは略Ｌ字状に形成されており、その一側に第１コイル搭載部９１ａが連続され、その他側に第２コイル搭載部９１ｂが連続されている。この連結部９１ｃには、連結部補強板９５ｂが設けられている。
【００３７】
フレキシブル配線板８３の接続中継部９２は、所定の曲率半径を保持して移動可能とされた曲げ部９２ａと、第１直線部９２ｂと、第２直線部９２ｃと、連通部９２ｄと、折り返し部９２ｅとを有している。接続中継部９２の曲げ部９２ａは、所定の曲率半径Ｒによって１８０度湾曲されたＵ字状の部分からなっている。この曲げ部９２ａを設けたことにより、固定側である第２直線部９２ｃに対する可動側である第１直線部９２ｂの移動に伴う変形を吸収する。これにより、曲げ部９２ａの移動を容易にして、その移動が繰り返されることによるフレキシブル配線板８３の破損等を防止している。
【００３８】
接続中継部９２の第１直線部９２ｂは、曲げ部９２ａの一側に連続されており、この第１直線部９２ｂの先に連通部９２ｄが連続され、この連通部９２ｄの先に第１コイル搭載部９１ａが連続されている。第２直線部９２ｃは、曲げ部９２ａの他側に連続されており、この第２直線部９２ｃの先に折り返し部９２ｅが連続されている。そして、折り返し部９２ｅの先端に接続端子が設けられ、その先端部に端子部補強板９７ａが設けられている。また、第１直線部９２ｂに、可動側補強板９７ｂが設けられている。
【００３９】
このような構成を有するフレキシブル配線板８３が、図４〜図７に示すように、３群レンズユニット１０と固定筒１８との間に掛け渡すような状態で取り付けられている。フレキシブル配線板８３の電子部品搭載部９１と接続中継部９２の第１直線部９２ｂが３群レンズユニット１０内に収納され、その第１直線部９２ｂに連続する曲げ部９２ａが固定筒１８との間に露出されている。そして、曲げ部９２ａに連続する第２直線部９２ｃの先端がフレキガイド８２によって固定筒１８の傾斜固定穴８１に固定されている。
【００４０】
３群レンズユニット１０は、第３レンズ群９の一部を保持する３群移動枠１３と、第３レンズ群９の後端レンズ９ａを保持するレンズホルダ９８と、第３レンズ群９の図示しないレンズを光軸方向へ移動させる電動モータ９９等を有している。レンズホルダ９８は、底の空いたカップ状の部材からなり、底の穴を塞ぐように後端レンズ９ａが固定されている。このレンズホルダ９８の前側開口部に３群移動枠１３が配置され、図示しない固定ネジによってネジ止めされている。電動モータ９９は、モータベース１０１を介して３群移動枠１３とレンズホルダ９８に固定されている。
【００４１】
３群移動枠１３の前側に像ブレ補正ユニット１００が配置され、その像ブレ補正ユニット１００の前側にアイリスユニット１４が配置されている。像ブレ補正ユニット１００及びアイリスユニット１４は、３群移動枠１３及びレンズホルダ９８に固定されて一体的に移動可能に構成されている。像ブレ補正ユニット１００に使用されているフレキシブル配線板８３は、図１４〜図１６に示すような状態で、像ブレ補正ユニット１００に組み込まれている。
【００４２】
図１４は、像ブレ補正ユニット１００を３群移動枠１３側から見た斜視図である。像ブレ補正ユニット１００は、補正レンズ１０４と、補正レンズ保持枠１０５と、保持枠ホルダ１０６と、補正レンズ駆動アクチュエータと、ユニットケース１０７等を有している。補正レンズ１０４は補正レンズ保持枠１０５によって保持されており、この補正レンズ保持枠１０５が保持枠ホルダ１０６によって第１の方向及びこれに直交する第２の方向へと、所定の範囲内で移動可能に支持されている。補正レンズ駆動アクチュエータは、補正レンズ保持枠１０５を介して補正レンズ１０４を第１の方向及び第２の方向へ移動させる。
【００４３】
補正レンズ駆動アクチュエータは、図示しないマグネットと、２つの駆動コイル９３,９４と、駆動コイル９３,９４が搭載されたフレキシブル配線板８３等によって構成されている。これら補正レンズ保持枠１０５と保持枠ホルダ１０６と補正レンズ駆動アクチュエータ等が、ユニットケース１０７に保持されている。
【００４４】
かくして、この像ブレ補正ユニット１００によれば、撮影に際し、例えば、手振れによって補正レンズ１０４が移動すると、その位置変化が２つの位置検出器９６Ａ，９６Ｂによって検出される。そして、２つの位置検出器９６Ａ，９６Ｂから位置検出信号がそれぞれ出力され、その検出信号が、図示しない制御装置に供給される。これにより、制御装置では、供給された位置検出信号に応じて、補正レンズ１０４の光軸をレンズ鏡筒１の光軸ＯＬに一致させるように制御信号を２つの駆動コイル９３,９４に出力する。その結果、２つの駆動コイル９３,９４に発生する第１の方向に向かう推力と第２の方向に向かう推力との合力によって補正レンズ１０４が、その光軸をレンズ鏡筒１の光軸ＯＬに一致させるように移動される。これにより、補正レンズ１０４の光軸がレンズ鏡筒１の光軸ＯＬに一致したところで像ブレが解消され、被写体を像ブレのない綺麗な状態で撮影することができる。
【００４５】
このような機能を有する像ブレ補正ユニット１００のフレキシブル配線板８３は、図１４に示すような状態で引き回され、ユニットケース１０７に取り付けられている。フレキシブル配線板８３の電子部品搭載部９１は、保持枠ホルダ１０６の内側に組み込まれており、接続中継部９２の連通部９２ｄが保持枠ホルダ１０６の側方に引き出されている。この実施例では、電子部品搭載部９１の、第１駆動コイル９３を搭載した第１コイル搭載部９１ａを光軸ＯＬの側方に配置し、第２駆動コイル９４を搭載した第２コイル搭載部９１ｂを光軸ＯＬの上方に配置している。
【００４６】
更に、フレキシブル配線板８３の接続中継部９２の第１直線部９２ｂを第２コイル搭載部９１ｂの近傍に配置し、その上方に所定の隙間をあけて第２直線部９２ｃを配置している。第１直線部９２ｂと第２直線部９２ｃとの間に設けた所定の隙間は、曲げ部９２ａの曲率半径によって設定されており、その曲げ部９２ａが光軸方向ＯＬへ移動可能な構成となっている。この第２直線部９２ｃの一部にフレキガイド８２の先端部が固定されている。第２直線部９２ｃは、折曲部１１０によって折り返し部９２ｅと連続されている。この折曲部１１０を先端として２つ折りにされた第２直線部９２ｃと折り返し部９２ｅとの間にフレキガイド８２が、ストッパ片８６を半径方向内側へ向けた状態で介在されている。
【００４７】
フレキガイド８２の、ストッパ片８６が突出する側と反対側の面の全体が両面テープによって折り返し部９２ｅに固定されている。この折り返し部９２ｅの先端部に接続端子が設けられており、その先端部が端子部補強板９７ａで補強されていて、コネクタ１１１に対して電気的に接続可能とされている。第２直線部９２ｃは、折り返し部９２ｅに連続する先端部のみが両面テープによってフレキガイド８２の、ストッパ片８６が突出する側の面に接着されており、その他の部分は単に接触しているだけの構成となっている。この第２直線部９２ｃが、レンズホルダ９８のフランジ部に設けた貫通穴１０８を貫通して３群レンズユニット１０側に引き出されている。
【００４８】
図１６は、図示しない固定筒１８に、フレキシブル配線板８３の接続中継部９２をフレキガイド８２によって固定した状態を示している。この図１６に示す形態の３群レンズユニット１０に固定筒１８を加えた形態が、図１７に示す図である。このとき、フレキガイド８２等は、固定筒１８の内フランジ部１８ｃに設けた切欠き部８４から挿入する。そして、フレキガイド８２等の先端側を、本体部１８ａに設けた傾斜固定穴８１に固定筒１８の内側から差し込むようにする。
【００４９】
その結果、図４〜図７に示すように、フレキガイド８２が、傾斜固定穴８１を光軸方向へ掛け渡されるように嵌合されて固定筒１８に取り付けられる。このとき、フレキガイド８２のストッパ片８６が突出する側の面と反対側の面が、折り返し部９２ｅを介して傾斜固定穴８１の外側ガイド支持部８１ｃに当接される。そして、フレキガイド８２のストッパ片８６が突出する側の面の先端部が、第２直線部９２ｃを介して傾斜固定穴８１の内側ガイド支持部８１ｂに当接される。このとき、傾斜固定穴８１に嵌合されているフレキガイド８２が延在する方向と光軸ＯＬとがなす角度αを、約１度に設定している（図４を参照）。即ち、フレキガイド８２は、レンズ鏡筒１の光軸ＯＬに対して、約１度傾いて保持されるように構成している。
【００５０】
このとき、フレキガイド８２は、位置決め片８５を固定筒１８の内フランジ部１８ｃに突き当てることにより、光軸方向の位置決めをして所定の深さ位置に自動的に設置することができる。更に、図４〜図７及び図１６〜図１８に示すように、固定筒１８に固定されているフレキガイド８２のストッパ片８６に対して、後部遮光環８７に設けたストッパ突起８９が対向するように構成している。ストッパ突起８９は、フレキガイド８２の抜け出しを防止する機能を有している。なお、この実施例では、フレキガイド８２を２枚用いており、図示しない２枚目のフレキガイドは、別のフレキシブル配線板に対して同様の支持を行っている。
【００５１】
このような構成を有するレンズ鏡筒１の動作は、例えば、次のようなものである。ズーム操作環１９を回転すると、図示しない連結ピンを介して連結されたズームカム環１７が回転する。これにより、ズームカム環１７の回転動作を介して、第１レンズ群７から第３レンズ群９が可動され、ズーム動作が実行される。図４及び図５は、レンズ鏡筒１のワイド状態を示しており、レンズ鏡筒１は、当初この状態に設定されている。この状態から、ズーム操作環１９を回転操作することによって、図６及び図７に示すテレ状態に変化し、ズーム動作が実行される。
【００５２】
即ち、ズーム操作環１９を回転して、３群レンズユニット１０を光軸ＯＬ方向前方へ移動すると、フレキシブル配線板８３の電子部品搭載部９１が同方向に移動する。このとき、接続中継部９２における第２直線部９２ｃが引き出されることによって曲げ部９２ａが移動するため、３群レンズユニット１０の移動を確保することができると共に、スムースに移動させることができる（図６、図７を参照）。この際、固定筒１８のすぐ内側に接近して３群レンズユニット１０が設けられているが、フレキシブル配線板８３の第２直線部９２ｃが固定筒１８の傾斜固定穴８１内に入り込んでいる（図４、図５を参照）。そのため、第２直線部９２ｃが３群レンズユニット１０と干渉するおそれをなくすことができ、他の部品との干渉によるフレキシブル配線板８３の破損を防止することができる。
【００５３】
また、フレキガイド８２は、その一面（表面）と他面（裏面）とが傾斜固定穴８１に挟まれる形で固定筒１８に収納されているため、フレキシブル配線板８３の駆動反力によって動き出すことがない。これにより、フレキシブル配線板８３の反力を安定させることができ、反力の変化に起因して補正レンズが駆動され、その補正レンズの移動による像ブレの発生を回避することができる。更に、フレキガイド８２の固定についても、後部遮光環８７をマウント環２１に組み立てると、後部遮光環８７に設けたストッパ突起８９がフレキガイド８２のストッパ片８６に接近し、フレキガイド８２の抜け出しを防止する。そのため、フレキガイド８２をビスによって固定筒１８に固定する必要がなく、ビスという部品を不要にしてコストの削減を図ることができる。
【００５４】
更に、フレキガイド８２が延在する方向を、レンズ鏡筒１の光軸ＯＬに対して約１度傾ける構成としたため、フレキシブル配線板８３の収納スペースを固定筒１８の肉厚内に治めることができた。そのため、半径方向において、余分なスペースが発生するのを防ぐことができ、レンズ鏡筒１の小型化に貢献することが可能となった。例えば、固定筒１８の半径方向に１ｍｍのクリアランスを設けると、レンズの直径が２ｍｍ大きくなるため、その影響力は大きなものとなり、小型化の要請に反することになる。また、フレキシブル配線板は、小さく折り曲げられた部分を繰り返し、広げたり、曲げたりすると、断線する可能性が高くなる。しかしながら、本発明では、小さく折り曲げられた先端部分がフレキガイドによって押え付けられており、先端部分の形状が変化しないため、断線が生じる可能性を可及的に少なくすることが可能となった。
【００５５】
図１９は、前述したレンズ鏡筒１を用いることができる撮像装置の第１の実施の例を示す一眼レフレックス型デジタルスチルカメラ（以下「デジタルスチルカメラ」という。）５の外観斜視図である。このデジタルスチルカメラ５は、撮像装置本体の第１の実施の例を示す横長の筐体からなるカメラボディ本体４と、このカメラボディ本体４に着脱可能に取り付けられるレンズ鏡筒１等を備えて構成されている。
【００５６】
カメラボディ本体４は、内部に空間が設けられた横長の筐体からなり、内部空間には図示しないが、各種の電子部品が実装された配線基板、バッテリー電源、記憶装置、その他各種の電子部品や機械部品、装置等が収納されている。このカメラボディ本体４の正面の略中央部には、レンズ鏡筒１が着脱可能に装着されるマウント部７２が設けられている。また、カメラボディ本体４の正面の右側部には、このカメラボディ本体４を把持するための把持部７３が設けられている。把持部７３は、カメラボディ本体４の前面を前側に突出させるように形成されており、片手で握り易い形状となっている。
【００５７】
カメラボディ本体４の上面の略中央部には、被写体に向けて照明光を発光するフラッシュ装置７４が配設されている。フラッシュ装置７４は、ポップアップ式の内蔵フラッシュとして構成されており、図示する伏せた状態と、図示しない上方へ跳ね上げた状態とに切り替えることができる。更に、カメラボディ本体４の上面の把持部７３側には、被写体を撮影するためのシャッタボタン７５が設けられている。
【００５８】
また、カメラボディ本体４の上面の把持部７３と反対側には、モード選択ダイヤル７６が配置されている。モード選択ダイヤル７６は、デジタルスチルカメラ５に付与された多数のカメラ機能の中から所望の機能モードを選択する回転スイッチである。このモード選択ダイヤル７６で選択される機能としては、例えば、静止画を撮影するモード、動画を撮影するモード、撮影した画像を再生・編集するモード等の各種機能を挙げることができる。
【００５９】
カメラボディ本体４の背面には、電子ビューファインダ７７と、図に表れない表示手段の一具体例を示す液晶ディスプレイ（ＬＣＤ）等からなる平面表示パネルが配設されている。更に、平面表示パネルの周囲には、種々のカメラ機能を選択等する各種のスイッチ類が設けられている。このような構成を有するカメラボディ本体４にレンズ鏡筒１を取り付けることにより、交換レンズとカメラボディ本体４とからなるデジタルスチルカメラ５が構成される。なお、レンズ鏡筒１は、交換機能を持たせることなく、レンズ鏡筒１とカメラボディ本体４を一体に構成することができることは勿論である。
【００６０】
このデジタルスチルカメラ５で撮影を行う場合には、まず、電源スイッチをオンし、内蔵されているバッテリー電源から制御装置等に電力を供給する。これにより、デジタルスチルカメラ５による撮影操作が可能となり、撮影レンズを被写体に向けてシャッタボタン７５を押すことにより、通常の撮影や連続撮影その他の作業を行うことができる。また、デジタルスチルカメラ５による撮影が終了したときには、電源スイッチをオフすることにより、バッテリー電源からの電力の供給が停止され、撮影操作が不可能な状態となる。
【００６１】
本発明によれば、Ｕターン形状部分を有するフレキシブル配線板を使用した撮像装置において、フレキシブル配線板のＵターン形状部分が他の部分と干渉するリスクを回避することができる。そのため、フレキシブル配線板の破損のおそれが少なく、フレキシブル配線板の反力を安定させて像ブレの発生するリスクを軽減することができる。更に、フレキガイドを所定位置に挿入するだけでフレキシブル配線板を固定することができ、組立性の向上を図ることができると共に、固定用のビスを使わないために部品点数の削減を図ることができ、小型化設計が可能なレンズ鏡筒を提供することができる。
【００６２】
本発明は、前述しかつ図面に示した実施の形態に限定されるものではなく、その要旨を逸脱しない範囲内で種々の変形実施が可能である。例えば、前記実施例においては、撮像装置としてデジタルスチルカメラを適用した例について説明したが、デジタルビデオカメラ、フィルム式一眼レフカメラ、アナログカメラ、アナログビデオカメラ、監視カメラその他の撮像装置にも適用できるものである。更に、光学レンズとして３群レンズを用いた例について説明したが、４群レンズであってもよく、また、５群レンズ以上であってもよいことは勿論である。
【符号の説明】
【００６３】
１…レンズ鏡筒（交換レンズ）、  ４…カメラボディ本体（撮像装置本体）、  ５…一眼レフレックス型デジタルスチルカメラ（撮像装置）、  ９…第３レンズ群、  １０…３群レンズユニット（可動部材）、  １３…３群移動枠、  １５…固定保持環、  １６…鏡筒環、  １７…ズームカム環、  １８…固定筒、  １９…ズーム操作環、  ２０…後部保持環、  ２１…マウント環、  ２２…フォーカス操作環、  ８１…傾斜固定穴、  ８１ａ…径方向貫通部、  ８１ｂ…内側ガイド支持部、  ８１ｃ…外側ガイド支持部、  ８２…フレキガイド、  ８３…フレキシブル配線板、  ８４…切欠き部、  ８５…位置決め片、  ８６…ストッパ片、  ８７…後部遮光環、  ８８…貫通穴、  ８９…ストッパ突起、  ９１…電子部品搭載部、  ９２…接続中継部、  ９２ａ…曲げ部、  ９２ｂ…第１直線部、  ９２ｃ…第２直線部、  ９２ｄ…連通部、  ９２ｅ…折り返し部、  １００…像ブレ補正ユニット、  １１０…折曲部
【図４】
2011237594.tif 000003
【図５】
2011237594.tif 000004
【図６】
2011237594.tif 000005
【図７】
2011237594.tif 000006
【図８】
2011237594.tif 000007
【図９】
2011237594.tif 000008
【図１０】
2011237594.tif 000009
【図１１】
2011237594.tif 000010
【図１２】
2011237594.tif 000011
【図１３】
2011237594.tif 000012
【図１４】
2011237594.tif 000013
【図１５】
2011237594.tif 000014
【図１６】
2011237594.tif 000015
【図１７】
2011237594.tif 000016
【図１８】
2011237594.tif 000017
【図１】
2011237594.tif 000018
【図２】
2011237594.tif 000019
【図３】
2011237594.tif 000020
【図１９】
2011237594.tif 000021